(57)【特許請求の範囲】
【請求項１】
（ａ）  編み込まれてニットループ（１５）を形成する編経糸（１１）と、ニットループを形成することなく複数列のウェール間（１４ａ、１４ｂ、１４ｃ………）を移動して編み込まれて編経糸（１１）のニットループ（１５）に係止される挿入糸（１２）との少なくとも２種類の糸条によって編成されており、
（ｂ）  挿入糸（１２）には、１５％伸長後の弾性回復率が９０％以上の弾性糸が使用されており、
（ｃ）  編成長さ方向（Ｙ）の単位長さ当りに挿入糸（１２）が編幅方向（Ｘ）に移動して編み込まれるコース（１３）の数として示される挿入糸編込密度（Ｐ）と、挿入糸（１２）が編み込まれるコース（１３）において編幅方向（Ｘ）に移動するウェール列の数（Ｌ）との積（Ｐ×Ｌ）で示される挿入糸編込量（Ｒ）が編成長さ方向（Ｙ）において変化しており、
（ｄ）  編幅方向（Ｘ）における１０％伸長時の伸長応力が、その挿入糸編込量（Ｒ）に応じて編成長さ方向（Ｙ）において変化している部分異硬度弾性経編地。
【請求項２】
前掲請求項１に記載の部分異硬度弾性経編地（１６）が、身体支持装置品のフレームの向き合う支桿（２３）と支桿（２３）の間に張設されて、身体支持装置品の身体を支えるクッション面を構成している身体支持装置品。
【発明の詳細な説明】
【技術分野】
【０００１】
本発明は、座椅子、椅子、腰掛け、背凭れ、脚載せ、座席、ソファー、ベット等の身体を支えるために屋内、屋外、車内等で使用される身体支持装置品のフレームの向き合う支桿と支桿の間に張設して身体を弾力的に支える腰掛け面や背凭れ面等のクッション面を構成するために使用される身体支持用弾性布帛に関するものである。
【背景技術】
【０００２】
弾性布帛が、その触れる身体の起伏に応じて起伏変形し、体重が押圧力となって弾性布帛に加わる体圧が均等に分散し、身体支持装置品の長時間にわたる使用において、痛みを感じさせたり、その弾性布帛に触れる部分に褥瘡を誘発したりしないようにするため、弾性布帛の１０％伸長時の伸長応力を部分的に変えた体圧分散型部分異硬度弾性布帛は公知である（例えば、特許文献１参照）。
【０００３】
即ち、製織過程において杼打込毎に織緯糸を換えることが出来る弾性織地では、織緯糸として織り込む繊度（太さ）や繊維素材等の仕様の異なる数種類の弾性糸を杼打込毎に選択的に換えて織り込んで、織幅方向（Ｘ）における１０％伸長時の伸長応力を製織方向（Ｙ）において部分的に変えることが出来る（例えば、特許文献１参照）。
【０００４】
編成過程において編緯糸を編針へと導く給糸口を換えることが出来る弾性緯編地では、編緯糸として編み込む繊度（太さ）や繊維素材等の仕様の異なる数種類の弾性糸を選択的に換えて編み込んで、編幅方向（ウェール方向Ｘ）における１０％伸長時の伸長応力を編成長さ方向（コース方向Ｙ）において部分的に変えることが出来る（例えば、特許文献１参照）。
【０００５】
【特許文献１】特許第３９２８１７８号公報
【発明の開示】
【発明が解決しようとする課題】
【０００６】
然るに、弾性経編地では、それを構成する編経糸も挿入糸もビームから筬と導入され、その筬針から編針へと供給されて編み込まれるようになっている。
その筬には経編地のウェール列の数に応じた無数の筬針が装着されており、編成過程において無数の編経糸或いは挿入糸の導入されている筬を別の筬に取り換えることは出来ない。
従って、弾性経編地では、編経糸や挿入糸として編み込む弾性糸の繊度（太さ）や繊維素材等の仕様を編成過程において選択的に変えることは出来ず、編幅方向（ウェール方向Ｘ）における１０％伸長時の伸長応力が編成長さ方向（コース方向Ｙ）において部分的に変化した部分異硬度弾性経編地は得られない。
【０００７】
そこで本発明は、編経糸や挿入糸等として編み込む弾性糸の繊度（太さ）や繊維素材等の仕様を編成過程において変えることなく、編幅方向（ウェール方向Ｘ）における１０％伸長時の伸長応力が編成長さ方向（コース方向Ｙ）において部分的に変化した部分異硬度弾性経編地を得ることを目的とする。
【課題を解決するための手段】
【０００８】
本発明に係る部分異硬度弾性経編地は、（ａ）  編み込まれてニットループ１５を形成する編経糸１１と、ニットループを形成することなく複数列のウェール間１４ａ、１４ｂ、１４ｃ………を移動して編み込まれて編経糸１１のニットループ１５に係止される挿入糸１２との少なくとも２種類の糸条によって編成されており、
（ｂ）  挿入糸１２には、１５％伸長後の弾性回復率が９０％以上の弾性糸が使用されており、
（ｃ）  編成長さ方向Ｙの単位長さ（２５．４ｍｍ）当りに挿入糸１２が編幅方向Ｘに移動して編み込まれるコース１３の数として示される挿入糸編込密度Ｐ（単位：コース数／２５．４ｍｍ）と、挿入糸１２が編み込まれるコース１３において編幅方向Ｘに移動する距離Ｌに応じたウェール列の数Ｌ（単位：ウェール数）との積（Ｐ×Ｌ）で示される挿入糸編込量Ｒが編成長さ方向Ｙにおいて変化しており、
（ｄ）  編幅方向Ｘにおける１０％伸長時の伸長応力が、その挿入糸編込量Ｒに応じて編成長さ方向Ｙにおいて変化していることを特徴とする。
本発明に係る身体支持装置品は、上記の特徴を有する部分異硬度弾性経編地１６が、身体支持装置品のフレームの向き合う支桿２３と支桿２３の間に張設されて、身体支持装置品の身体を支えるクッション面を構成していることを特徴とする。
【発明の効果】
【０００９】
複数列のウェール間１４ａ、１４ｂ、１４ｃ………を移動してニットループを形成することなく編み込まれる挿入糸１２は、その移動した複数列のウェール間１４ａ、１４ｂ、１４ｃ………では編幅方向Ｘに真っ直ぐ連続した直線糸条になっており、挿入糸編込密度Ｐが緻密なコース１３ｂ、即ち、コース間隔Ｈｂの狭いコース１３ｂでは、編成長さ方向Ｙにおける単位長さ当たりの挿入糸１２の直線糸条部分の数も多いので、その緻密なコース１３ｂでの編幅方向Ｘにおける１０％伸長時の伸長応力は、挿入糸編込密度Ｐが粗いコース１３ａ、即ち、コース間隔Ｈａの広いコース１３ａでの編幅方向Ｘにおける１０％伸長時の伸長応力に比して強くなる。
【００１０】
挿入糸１２が編幅方向Ｘに移動する距離、即ち、その移動する過程で交叉するウェールの数Ｌが多ければ、その移動するコース１３ｂにおいて挿入糸１２の編幅方向Ｘに真っ直ぐ連続した直線糸条部分の長さＬｂが、挿入糸１２が編幅方向Ｘに移動して交叉するウェールの数Ｌの少ないコース１３ａにおいて編幅方向Ｘに真っ直ぐ連続した挿入糸１２の直線糸条部分の長さＬａに比して長くなる。
従って、挿入糸１２が編幅方向Ｘに移動して交叉するウェールの数Ｌの多いコース１３ｂにおける挿入糸１２の編込量が、挿入糸１２が編幅方向Ｘに移動して交叉するウェールの数Ｌの少ないコース１３ａにおける挿入糸１２の編込量に比して多くなる。
そして、編幅方向Ｘにおける１０％伸長時の伸長応力は、挿入糸１２の編込量に比例して増減するので、挿入糸１２の移動するウェールの数Ｌの多いコース１３ｂでの編幅方向Ｘにおける１０％伸長時の伸長応力は、挿入糸１２の移動するウェールの数Ｌの少ないコース１３ａでの編幅方向Ｘにおける１０％伸長時の伸長応力に比して強くなる。
【００１１】
このように、挿入糸編込密度Ｐと挿入糸の移動距離（ウェール数）Ｌに比例して、編幅方向Ｘにおける１０％伸長時の伸長応力が強くなるので、それらの積（Ｐ×Ｌ）として示される挿入糸編込量Ｒに比例して編幅方向Ｘにおける１０％伸長時の伸長応力が強くなる。
【００１２】
そして、経編機では、編成過程において筬をサーボモーターによって編幅方向Ｘに往復駆動（筬振り運動）することが出来、その筬の移動量に応じて挿入糸１２が編幅方向Ｘに移動して交叉するウェールの数Ｌを制御することが出来る。
又、経編機では、編成過程において編成される経編地を引き出す巻取ロールをサーボモーターによって回転駆動することが出来、その巻取ロールの回転速度に応じて経編地のコース間隔Ｈが変化するので、挿入糸編込密度Ｐを巻取ロールの回転速度によって制御することが出来る。
【００１３】
従って、本発明によると、挿入糸編込密度Ｐと挿入糸の移動ウェール数Ｌとの積（Ｐ×Ｌ）として示される挿入糸編込量Ｒを変えて、編幅方向Ｘでの１０％伸長時の伸長応力が編成長さ方向Ｙにおいて部分的に異なる身体支持用部分異硬度弾性経編地１６を得ることが出来、この一枚の部分異硬度弾性経編地１６を身体支持装置品のフレームの向き合う支桿２３と支桿２３の間に、その編幅方向Ｘを支桿２３と支桿２３の向き合う方向に向け、身体支持装置品の背凭れ部２１から腰載せ部２２まで連続させて張設することで、身体を支えるクッション面における経編地１６の編幅方向Ｘでの１０％伸長時の伸長応力が、背凭れ部２１の椎骨対応部分２４の前後において徐々に増減し、或いは又、腰載せ部２２の仙骨対応部分２５においては仙骨対応部分２５から腰載せ部２２の前端縁部分である太股対応部分２６にかけて徐々に増減して、座り心地は極めて快適な座椅子や椅子等の身体支持装置品を得ることが出来る。
【発明を実施するための最良の形態】
【００１４】
挿入糸編込密度Ｐについては、筬を編幅方向Ｘに往復駆動（筬振り運動）するサーボモーターによって制御することが出来、又、挿入糸の移動ウェール数Ｌについても、経編地を引き出す巻取ロールを回転駆動するサーボモーターによって制御することが出来る。
しかし、挿入糸編込密度Ｐや挿入糸の移動ウェール数Ｌの制御手段については、サーボモーターだけに限定されるものではなく、チェーン・カム機構や歯車変速機構、変速プーリー機構等を適用することも出来る。
【００１５】
挿入糸編込量Ｒについては、その変化量ΔＲが編成長さ方向Ｙを基軸としてなだらかな変位曲線図を描くように、徐々に変えることが出来る。              
例えば、図２に示すように、座椅子や椅子２０のフレームの左右向き合う支桿２３と支桿２３の間に、背凭れ部２１から腰載せ部２２まで連続した一枚の部分異硬度弾性経編地１６を張設する場合、背凭れ部２１の椎骨対応部分２４の前後において徐々に挿入糸編込量Ｑを増減し、腰載せ部２２の仙骨対応部分２５においては挿入糸編込量Ｑを少なくし、仙骨対応部分２５から腰載せ部２２の前端縁部分である太股対応部分２６にかけて徐々に挿入糸編込量Ｑを増やすことが出来る。
【００１６】
編幅方向Ｘにおける１０％伸長時の伸長応力は１００〜３００Ｎ／５ｃｍ以上に設定するとよいが、編経糸１１にも弾性糸を適用する場合、特に、その弾性糸をニットループ１５を形成する編経糸１１に対する補助弾性糸として編経糸１１のニットループ１５がコース方向（編成長さ方向Ｙ）に形成する鎖編目列にニットループを形成することなく絡み付けて編み込む場合には、その補助弾性糸によって編成長さ方向Ｙにおける１０％伸長時の伸長応力が確保され、部分異硬度弾性経編地１６を編成長さ方向Ｙにも緊張して張設することが出来るので、その編幅方向Ｘにおける１０％伸長時の伸長応力を１５〜１００Ｎ／５ｃｍに、即ち、１００Ｎ／５ｃｍ以下に設定することも出来る。
その場合、その補助弾性糸によって確保される編成長さ方向Ｙにおける１０％伸長時の伸長応力Ｆｃを１５Ｎ／５ｃｍ以上に設定し、編幅方向Ｘにおける１０％伸長時の伸長応力Ｆｗを編成長さ方向Ｙにおける１０％伸長時の伸長応力Ｆｃよりも強くする（Ｆｗ＞Ｆｃ）。
【００１７】
編経糸１１と挿入糸１２と絡み糸（補助弾性糸）としては、単繊維繊度が１５０ｄｔｅｘ以上であり、１０％伸長時の伸長応力が０．１ｃＮ／ｄｔｅｘ以上、好ましくは０．２〜０．８ｃＮ／ｄｔｅｘ、更に好ましくは０．２〜０．４ｃＮ／ｄｔｅｘの弾性モノフィラメント糸、例えばポリエーテル系エステル弾性モノフィラメント糸を使用し、多繊糸条には捲縮ポリエステルマルチフィラメント糸を使用するとよい。
弾性糸の最大総繊度は２０００ｄｔｅｘ以下にすればよい。
【００１８】
部分異硬度弾性経編地１６は、シングルラッシェル経編機やトリコット経編機による表裏二重経編地とすることが出来る。
その場合、ニットループを形成する編経糸１１と、ニットループを形成することなく複数列のウェール間１４ａ、１４ｂ、１４ｃ………を移動して編み込まれる弾性糸に成る挿入糸１２によって編成し、その挿入糸編込量Ｒが編成長さ方向Ｙにおいて変化した部分異硬度弾性経編地（１６）を弾性ベース裏編地とし、その弾性ベース裏編地の表面に、単繊維繊度１０ｄｔｅｘ以下の多数の繊維によって構成されており、弾性ベース裏編地の編経糸１１と挿入糸１２の何れよりも太い多繊糸条を表糸として、編経糸１１のニットループ１５と一体になったニットループを形成して編み込み、弾性ベース裏編地の表面に表糸のシンカーループを突出させるとよい。
その弾性ベース裏編地の表面に表糸によって構成される編組織は、表糸が部分的に糸抜きされた筬によって編み込まれた開口面積１ｍｍ2 以上の糸抜きメッシュ孔のあるメッシュ編組織とし、表糸の編組織によって弾性ベース裏編地の伸縮弾性が阻害されないようにする。
【００１９】
部分異硬度弾性経編地１６は、ダブルラッシェル経編機によって表布と裏布を連結糸によって連結して表裏二重に編成することも出来る。
その場合、裏布については、ニットループを形成する編経糸１１と、ニットループを形成することなく複数列のウェール間１４ａ、１４ｂ、１４ｃ………を移動して編み込まれる弾性糸に成る挿入糸１２によって編成し、その挿入糸編込量Ｒが編成長さ方向Ｙにおいて変化した部分異硬度弾性経編地とし、表布については、部分異硬度弾性裏布（１６）の伸縮弾性を阻害しない開口面積１ｍｍ2 以上の糸抜きメッシュ孔のあるメッシュ経編地とする。
【００２０】
挿入糸編込量Ｒが編成長さ方向Ｙにおいて変化するのは、弾性裏布１６の編幅方向Ｘにおける一部、例えば、図３に示すように、座椅子や椅子２０のフレームの左右向き合う支桿２３と支桿２３の間に背凭れ部２１から腰載せ部２２まで連続して張設される弾性経編地１６では、その中央部分２７の挿入糸編込量Ｒだけを編成長さ方向Ｙにおいて部分的に変え、その左右両端縁部分２８・２８の挿入糸編込量Ｒを編成長さ方向Ｙにおいて変化させず一定にすることも出来る。
その場合、その中央部分２７の挿入糸１２ｃの全てを、左右両端縁部分２８・２８の挿入糸１２とは異なる別の筬の筬針に挿通し、編成長さ方向Ｙに位置する仙骨対応部分２５において挿入糸１２ｃの挿通している筬の編幅方向Ｘへの移動ウェール数Ｌだけを変え、その挿入糸１２ｃの挿入糸編込量Ｒを仙骨対応部分２５において加減する。
【００２１】
図４は、仙骨対応部分２５と左右両端縁部分２８・２８との境目、および、仙骨対応部分２５に前後する仙骨対応部分２５と背凭れ部２１乃至太股対応部分２６との境目での挿入糸編込量Ｒの変化の状態を図示しており、左右両端縁部分２８・２８における挿入糸１２の編幅方向Ｘへの移動距離Ｌは、腰載せ部２２の前端縁部分から背凭れ部２１の上端縁部分に到るまで一定になっいる。尚、図３と図４に図示する弾性経編地１６において、コース間隔Ｈ（挿入糸編込密度Ｐ）は、中央部分２７も左右両端縁部分２８も、腰載せ部２２の前端縁部分から腰載せ部２２の上端縁部分に到るまで一定になっている。
【実施例】
【００２２】
繊度３００ｄｔｅｘのポリエーテル系エステル弾性モノフィラメント糸を挿入糸１２と編経糸１１として弾性ベース経編地を編成しつつ、その編経糸１１のニットループ１５と一体のニットループを形成しつつ総繊度４５０ｄｔｅｘのポリエステル・マルチフイラメント糸を表糸として編み込み、弾性ベース経編地のシンカーループ面に表糸によるメッシュ経編地を重ねて編成し、弾性ベース経編地とメッシュ経編地が一体になった表裏二重部分異硬度弾性経編地を編成した。
【００２３】
表糸は、第１群の表糸と第２群の表糸との２群に分けられ、第１筬（フロント筬）と第２筬に分かれて導入し、それぞれ１本の筬針に表糸１５を挿通し、それに続く３本の筬針を糸抜きとし、筬針４本につき１本の割合で表糸１５を挿通し、筬針４本につき３本の割合で糸抜きとした。
編経糸１１は、第３筬に導入され、１本の筬針に挿通し、それに続く１本の筬針を糸抜きとし、筬針１本おきに挿通した。
挿入糸１２は、第１群の挿入糸１２ａと第２群の挿入糸１２ｂとの２群に分けて第４筬と第５筬（バック筬）に導入し、それぞれ１本の筬針に挿入糸１１を挿通し、それに続く１本の筬針を糸抜きとし、筬針１本おきに挿通した。
【００２４】
第１筬（フロント筬）と第２筬では、３−４／１−０／３−４／１−０／………と続く表糸の編組織を編成した。
第３筬は、１−０／０−１／１−０／０−１／………と続く編経糸１１の編組織を編成した。
第４筬は、０−０／４−４／０−０／４−４／………と続く挿入糸１２ａの編組織を編成した。
第５筬（バック筬）は、４−４／０−０／４−４／０−０／………と続く挿入糸１２ｂ編組織を編成した。
【００２５】
編成過程では、経編地を引き出す巻取ロールの回転速度をサーボモーターによって変え、２０コース／２５．４ｍｍの挿入糸編込密度で太股対応部分２６を約３０ｃｍ編成し、それに続く８コース分を１９コース／２５．４ｍｍの挿入糸編込密度で編成し、それに続く８コース分を１８コース／２５．４ｍｍの挿入糸編込密度で編成し、それに続く８コース分を１７コース／２５．４ｍｍの挿入糸編込密度で編成し、それに続く８コース分を１６コース／２５．４ｍｍの挿入糸編込密度で編成し、それに続く８コース分を１５コース／２５．４ｍｍの挿入糸編込密度で編成し、それに続く仙骨対応部分２５を１４コース／２５．４ｍｍの挿入糸編込密度で約３０ｃｍ編成し、それに続く８コース分を１５コース／２５．４ｍｍの挿入糸編込密度で編成し、それに続く８コース分を１６コース／２５．４ｍｍの挿入糸編込密度で編成し、それに続く８コース分を１７コース／２５．４ｍｍの挿入糸編込密度で編成し、それに続く８コース分を１８コース／２５．４ｍｍの挿入糸編込密度で編成し、それに続く腰載せ部２２と背凭れ部２１との中間部分を１９コース／２５．４ｍｍの挿入糸編込密度で約１０ｃｍ編成し、それに続く８コース分を２０コース／２５．４ｍｍの挿入糸編込密度で編成し、それに続く８コース分を２１コース／２５．４ｍｍの挿入糸編込密度で編成し、それに続く８コース分を２２コース／２５．４ｍｍの挿入糸編込密度で編成し、それに続く８コース分を２３コース／２５．４ｍｍの挿入糸編込密度で編成し、それに続く椎骨対応部分２４を２４コース／２５．４ｍｍの挿入糸編込密度で約５ｃｍ編成し、それに続く８コース分を２３コース／２５．４ｍｍの挿入糸編込密度で編成し、それに続く８コース分を２２コース／２５．４ｍｍの挿入糸編込密度で編成し、それに続く８コース分を２１コース／２５．４ｍｍの挿入糸編込密度で編成し、それに続く８コース分を２０コース／２５．４ｍｍの挿入糸編込密度で編成し、それに続く背凭れ部２１の上端縁部分を１９コース／２５．４ｍｍの挿入糸編込密度で約３０ｃｍ編成し、腰載せ部２２から背凭れ部２１まで連続した部分異硬度弾性経編地を編成した。
【００２６】
この腰載せ部２２から背凭れ部２１まで連続した一枚の部分異硬度弾性経編地１６を椅子２０のフレームの左右向き合う支桿２３と支桿２３の間に張設した。
その椅子の座り心地は極めて快適であった。
【図面の簡単な説明】
【００２７】
【図１】本発明に係る弾性経編地の拡大平面図である。
【図２】本発明に係る弾性経編地の使用状態での斜視図である。
【図３】本発明に係る弾性経編地の使用状態での斜視図である。
【図４】本発明に係る弾性経編地の拡大平面図である。
【符号の説明】
【００２８】
１１：編経糸
１２：挿入糸
１３：コース
１４：ウェール列
１５：ニットループ
１６：部分異硬度弾性経編地
２０：椅子
２１：背凭れ部
２２：腰載せ部
２３：支桿
２４：椎骨対応部分
２５：仙骨対応部分
２６：太股対応部分
２７：中央部分
２８：端縁部分
Ｘ  ：編幅方向（ウェール方向）
Ｙ  ：編成長さ方向（コース方向）
【図１】
0004925009.tif 000002
【図２】
0004925009.tif 000003
【図３】
0004925009.tif 000004
【図４】
0004925009.tif 000005